(57)【要約】  【課題】発射操作ハンドルにおいて、操作ハンドルとハンドルカバーとの間、また、操作ハンドルとハンドルベースと間に、コイン等の異物が挿入保持されにくくして、操作ハンドルが異物で固定されることを確実に防止できる、弾球遊技機を提供する。  【解決手段】発射操作ハンドル４は、ハンドルベース２０、操作ハンドル３０、ハンドルカバー４０を備え、ハンドルカバー４０が、キャップ部４０ａ、環状後面部４０ｂ、リング部４０ｃを有し、操作ハンドル３０の環状操作部３０ａが、環状前端部３０ｈ、周壁部３０ｉを有し、操作ハンドル３０の環状前端部３０ｈが、ハンドルカバー４０の前方凸のキャップ部４０ａの後端部に後方向きに形成された環状後面部４０ｂに実質的な隙間なく後側から対向し、操作ハンドル３０の周壁部３０ｉに、ハンドルカバー４０の環状後面部４０ｂの内周側から後方へ延びるリング部４０ｃが内嵌状に収容されている。【選択図】  図９
2008272005.tif 000002
【特許請求の範囲】
【請求項１】
遊技領域に遊技球を発射する発射駆動機構を作動させるために操作する発射操作ハンドルを備えた弾球遊技機において、
前記発射操作ハンドルは、
前記弾球遊技機の本体部材に前方突出状に固定されたハンドルベースと、
前記ハンドルベースの外周部の前端側に配設された環状操作部を有し、ハンドルベースに前後方向の軸回りに回動自在に支持された操作ハンドルと、
前記操作ハンドルの前端側に配設されて、操作ハンドルを回動可能に保持した状態でハンドルベースに固定され、操作ハンドルの前方移動を規制するハンドルカバーとを備え、
前記ハンドルカバーは、前方凸のキャップ部と、このキャップ部の後端部に後方向きに形成された環状後面部と、この環状後面部の内周側から後方へ延びるリング部とを有し、
前記操作ハンドルの環状操作部は、ハンドルカバーの環状後面部に実質的な隙間なく後側から対向する環状前端部と、ハンドルカバーのリング部を内嵌状に収容する周壁部とを有する、
ことを特徴とする弾球遊技機。
【請求項２】
前記リング部が前記周壁部に近接状に内嵌されるとともに、前記リング部が操作ハンドルの環状操作部の前後幅の半分以上の前後長を有することを特徴とする請求項１に記載の弾球遊技機。
【請求項３】
前記ハンドルカバーの環状後面部が操作ハンドルの環状前端部よりも大径に形成されたことを特徴とする請求項１又は２に記載の弾球遊技機。
【請求項４】
前記ハンドルカバーの環状後面部に後方開放状に形成され且つ操作ハンドルの環状前端部が係合可能な環状凹部を設けたことを特徴とする請求項１〜３の何れかに記載の弾球遊技機。
【請求項５】
前記ハンドルベースの前端部にリング状支持部が形成され、
前記操作ハンドルの環状操作部の後端部に後方開放状に形成され且つ前記リング状支持部に摺動回動自在に係合する環状溝部を設けたことを特徴とする請求項１〜５の何れかに記載の弾球遊技機。
【発明の詳細な説明】
【技術分野】
【０００１】
本発明は、発射操作ハンドルを備えた主にパチンコ機を対象とする弾球遊技機に関し、特に、発射操作ハンドルにおいて、操作ハンドルをコイン等の異物で固定できないようにした構造に関するものである。
【背景技術】
【０００２】
従来、パチンコ機には、多数の障害釘や複数の入賞口等が配置された遊技領域と、この遊技領域に遊技球を発射する発射駆動機構と、この発射駆動機構を作動させるために操作する発射操作ハンドルとが装備されている。発射駆動機構は、遊技球を打撃する打撃槌と、この打撃槌を作動させる電動アクチュエータとを有し、発射操作ハンドルにおいて、操作ハンドルを回動操作することで、電動アクチュエータが駆動され、操作ハンドルの回動操作位置を調整することで、電動アクチュエータの駆動力、つまり、打撃槌の遊技球への打撃力が調整されて、遊技球を遊技領域の所望の位置に向けて発射することができる。
【０００３】
従来の発射操作ハンドルとして、ハンドルベースが、パチンコ機の本体部材に前方突出状に固定され、操作ハンドルが、ハンドルベースの外周部の前端側に配設された環状操作部を有し、ハンドルベースに前後方向の軸回りに回動自在に支持され、ハンドルカバーが、操作ハンドルの前端側に配設されて、操作ハンドルを回動可能に保持した状態でハンドルベースに固定され、操作ハンドルの前方移動を規制するように構成したものが周知である（例えば、特許文献１参照）。
【０００４】
従来の発射操作ハンドルにおいて、その多くは、遊技者が操作ハンドルとハンドルベース又はハンドルカバーとの間にコイン等の異物を予定外に挿入し保持させて、操作ハンドルを固定できるようになっている。尚、操作ハンドルの指当部を利用し、その指当部の内面とハンドルベース又はハンドルカバーの外周面との間に遊技球が挿入保持されて、操作ハンドルが固定されるように構成した発射操作ハンドルも実用化されている。
【０００５】
しかし、操作ハンドルとハンドルベース又はハンドルカバーとの間に異物を予定外に挿入し保持させることは、特に無理やり圧入した場合には、その異物を取除いた場合に操作ハンドルががたつく等、発射操作ハンドルが損傷する原因になるので好ましいことではなく、また、操作ハンドルが異物で固定されることを防止して遊技の健全化を図りたいという要請に反することになる。近年、その要請は増大傾向にある。
【０００６】
特許文献１に記載の発射操作ハンドルでは、操作ハンドルが、軸部、軸部の前端部に固着の円板部、円板部の外周部から後方へ延びる外周壁部を有する環状操作部、円板部の外周部よりも少し半径方向内側部分から前方へ突出する前方突出環状部、円板部の前方突出環状部よりも少し半径方向内側部分から後方へ突出する後方突出環状部を有する。
【０００７】
ハンドルカバーが前方凸のキャップ状に形成され、このハンドルカバーの環状後端部が、操作ハンドルの前方突出環状部の半径方向外側に位置して外周壁部の前端部に近接状に対向し、また、ハンドルベース（支柱部）の前端筒状部が、操作ハンドルの外周壁部と後方突出環状部との間に収容され円板部の後端部に近接状に対向している。
【特許文献１】特開２００１−１７０２６７号公報
【発明の開示】
【発明が解決しようとする課題】
【０００８】
パチンコ機の発射操作ハンドルにおいて、操作ハンドルがコイン等の異物で固定されないように、特に、遊技者の方に近くて遊技者が見易い、操作ハンドルとハンドルカバーとの間に、異物が挿入保持されないようにすることが重要である。そこで、特許文献１に記載の発射操作ハンドルでは、操作ハンドルに前方突出環状部を設けているが、この前方突出環状部は、操作ハンドルの円板部から前方へ僅かに突出し、しかも、操作ハンドルの環状後端部に非近接状のものであり、そして、ハンドルカバーの環状後端部は単に操作ハンドルの外周壁部の前端部に近接状に対向するものであるので、この環状後端部と外周壁部との間に異物が半径方向外側から挿入保持される虞がある。
【０００９】
また、操作ハンドルとハンドルベースとの間にコイン等の異物が挿入保持されにくくすることも重要である。そこで、特許文献１に記載の発射操作ハンドルでは、操作ハンドルに後方突出環状部を設け、ハンドルベースの前端筒状部を、操作ハンドルの外周壁部と後方突出環状部との間に収容しているが、この前端筒状部は操作ハンドルの外周壁部に非近接状のものであり、この外周壁部と前端筒状部との間が比較的大きく空き、その間に異物が後側から挿入保持される虞がある。
【００１０】
本発明の目的は、発射操作ハンドルにおいて、操作ハンドルとハンドルカバーとの間、また、操作ハンドルとハンドルベースと間に、コイン等の異物が挿入保持されにくくして、操作ハンドルが異物で固定されることを確実に防止できる、弾球遊技機を提供することである。
【課題を解決するための手段】
【００１１】
請求項１の弾球遊技機は、遊技領域に遊技球を発射する発射駆動機構を作動させるために操作する発射操作ハンドルを備えた弾球遊技機において、前記発射操作ハンドルは、前記弾球遊技機の本体部材に前方突出状に固定されたハンドルベースと、前記ハンドルベースの外周部の前端側に配設された環状操作部を有し、ハンドルベースに前後方向の軸回りに回動自在に支持された操作ハンドルと、前記操作ハンドルの前端側に配設されて、操作ハンドルを回動可能に保持した状態でハンドルベースに固定され、操作ハンドルの前方移動を規制するハンドルカバーとを備え、前記ハンドルカバーは、前方凸のキャップ部と、このキャップ部の後端部に後方向きに形成された環状後面部と、この環状後面部の内周側から後方へ延びるリング部とを有し、前記操作ハンドルの環状操作部は、ハンドルカバーの環状後面部に実質的な隙間なく後側から対向する環状前端部と、ハンドルカバーのリング部を内嵌状に収容する周壁部とを有することを特徴とする。
【００１２】
発射操作ハンドルにおいて、ハンドルカバーが、キャップ部、環状後面部、リング部を有し、操作ハンドルの環状操作部が、環状前端部、周壁部を有し、操作ハンドルの環状前端部が、ハンドルカバーの前方凸のキャップ部の後端部に後方向きに形成された環状後面部に実質的な隙間なく後側から対向し、操作ハンドルの周壁部に、ハンドルカバーの環状後面部の内周側から後方へ延びるリング部が内嵌状に収容されている。操作ハンドルの環状前端部がハンドルカバーの環状後面部に対向し、これら環状前端部と環状後面部との間に、実質的な隙間がないので、コイン等の異物を挿入できる隙間が形成されにくくなり、更に、操作ハンドルの周壁部に内嵌状に収容されたハンドルカバーのリング部により、異物が挿入保持されにくくなるので、操作ハンドルが異物で固定されることが防止される。
【００１３】
ここで、請求項１の従属請求項として次の構成を採用可能である。
前記リング部が前記周壁部に近接状に内嵌されるとともに、前記リング部が操作ハンドルの環状操作部の前後幅の半分以上の前後長を有する（請求項２）。前記ハンドルカバーの環状後面部が操作ハンドルの環状前端部よりも大径に形成される（請求項３）。前記ハンドルカバーの環状後面部に後方開放状に形成され且つ操作ハンドルの環状前端部が係合可能な環状凹部を設ける（請求項４）。前記ハンドルベースの前端部にリング状支持部が形成され、前記操作ハンドルの環状操作部の後端部に後方開放状に形成され且つ前記リング状支持部に摺動回動自在に係合する環状溝部を設ける（請求項５）。
【発明の効果】
【００１４】
請求項１の発明によれば、前記のように、発射操作ハンドルが、ハンドルベース、操作ハンドル、ハンドルカバーを備え、ハンドルカバーが、キャップ部、環状後面部、リング部を有し、操作ハンドルの環状操作部が、環状前端部、周壁部を有し、操作ハンドルの環状前端部を、ハンドルカバーの前方凸のキャップ部の後端部に後方向きに形成された環状後面部に実質的な隙間なく後側から対向させ、操作ハンドルの周壁部に、ハンドルカバーの環状後面部の内周側から後方へ延びるリング部を内嵌状に収容させたので、操作ハンドルの環状前端部とハンドルカバーの環状後面部との間に、コイン等の異物を挿入できる隙間が形成されにくくなり、異物が挿入保持されにくくなるので、操作ハンドルが異物で固定されることを確実に防止して、発射操作ハンドルが損傷するのを未然に極力防止するとともに、遊技の健全化を図ることが可能になる。
【００１５】
請求項２の発明によれば、ハンドルカバーのリング部が操作ハンドルの周壁部に近接状に内嵌されるとともに、このリング部が操作ハンドルの環状操作部の前後幅の半分以上の前後長を有するので、ハンドルカバーを操作ハンドルに対して安定的に装着できるとともに、操作ハンドルの環状前端部とハンドルカバーの環状後面部との間に、仮に異物が挿入されても、その異物がハンドルカバーのリング部に当接して半径方向内側へ深く挿入されないので、異物が挿入保持されることを確実に防止できる。
【００１６】
請求項３の発明によれば、ハンドルカバーの環状後面部を操作ハンドルの環状前端部よりも大径に形成したので、操作ハンドルの環状前端部を、ハンドルカバーの環状後面部に確実に実質的な隙間なく後側から対向させることができ、ハンドルカバーの環状後面部の外周側部分で、操作ハンドルの環状前端部の外周側を覆うように構成することもできる。
【００１７】
請求項４の発明によれば、ハンドルカバーの環状後面部に後方開放状に形成され且つ操作ハンドルの環状前端部が係合可能な環状凹部を設けたので、この環状凹部の外周側部分で操作ハンドルの環状前端部の外周側を覆い、操作ハンドルの環状前端部とハンドルカバーの環状後面部との間に、異物が挿入保持されることをより確実に防止できる。
【００１８】
請求項４の弾球遊技機によれば、ハンドルベースの前端部にリング状支持部を形成し、操作ハンドルの環状操作部の後端部に後方開放状に環状溝部を形成し、その環状溝部をリング状支持部に摺動回動自在に係合させたので、操作ハンドルの環状溝部とハンドルベースのリング状筒部との間に異物が挿入保持されることを確実に防止でき、操作ハンドルが異物で固定されることを一層確実に防止できる。
【発明を実施するための最良の形態】
【００１９】
本発明の弾球遊技機において、遊技領域に遊技球を発射する発射駆動機構を作動させるために操作する発射操作ハンドルは、弾球遊技機の本体部材に前方突出状に固定されたハンドルベースと、ハンドルベースの外周部の前端側に配設された環状操作部を有し、ハンドルベースに前後方向の軸回りに回動自在に支持された操作ハンドルと、操作ハンドルの前端側に配設されて、操作ハンドルを回動可能に保持した状態でハンドルベースに固定され、操作ハンドルの前方移動を規制するハンドルカバーとを備えたものである。
【実施例】
【００２０】
図１〜図３に示すように、弾球遊技機であるパチンコ機１は、多数の障害釘や複数の入賞口（図示略）等が配置された遊技領域２、遊技領域２に遊技球を発射する発射駆動機構３、発射駆動機構３を作動させるために操作する発射操作ハンドル４を備えている。
【００２１】
パチンコ機１は枠部材１０を備え、その枠部材１０に裏側から遊技盤１１が取付けられ、その遊技盤１１の前面側に遊技領域２が形成され、遊技領域２の前側は開閉可能なガラス扉（図示略）で覆われている。遊技領域２の右下側に発射駆動機構３が配置され、発射駆動機構３から遊技領域２へ遊技球を案内する案内レール１２が遊技盤１１の前面に取付けられている。発射駆動機構３は、図示省略するが、遊技球を打撃する打撃槌と、この打撃槌を作動させるソレノイドアクチュエータ等の電動アクチュエータとを有する。
【００２２】
パチンコ機１は枠部材１０の下側前面部分に合成樹脂製の皿形成体１３を備え、この皿形成体１３に、遊技球を貯留しその遊技球を発射駆動機構３へ案内する球貯留皿１４が形成されている。球貯留皿１４には、発射駆動機構３で遊技領域２に発射された遊技球が入賞口へ入ることで獲得できた遊技球や、発射駆動機構３で発射されたが遊技領域２へ至らずに戻ってきた遊技球が導出される。皿形成体１３には、その右部に前後方向にやや厚肉のハンドル取付部１５が一体的に設けられ、このハンドル取付部１５に前方開放状の円形取付穴１５ａが形成されている。
【００２３】
発射操作ハンドル４について詳細に説明する。
図４〜図９に示すように、発射操作ハンドル４は、ハンドルベース２０、操作ハンドル３０、ハンドルカバー４０を備え、皿形成体１３のハンドル取付部１５に前方突出状に取付けられている。ハンドルベース２０、操作ハンドル３０、ハンドルカバー４０は、夫々、合成樹脂材料で構成され、操作ハンドル３０にはメッキ加工が施されている。
【００２４】
この発射操作ハンドル４において、遊技者が操作ハンドル３０を右回しに回動操作することで、発射駆動機構３の電動アクチュエータが駆動され、操作ハンドル３０の回動操作位置を調整することで、発射駆動機構３の電動アクチュエータの駆動力、つまり、発射駆動機構３の打撃槌の遊技球への打撃力が調整されて、遊技球を遊技領域２の所望の位置に向けて発射することができる。
【００２５】
ハンドルベース２０は、パチンコ機１の本体部材である皿形成体１３のハンドル取付部１５に前方突出状に固定されている。ハンドルベース２０は、筒状基部２０ａと、筒状基部２０ａの前端部から前方へ広がるように形成されたテーパ筒部２０ｂと、テーパ筒部２０ｂの前端部から前方へ延びるように形成された大径筒部２０ｃと、筒状基部２０ａとテーパ筒部２０ｂの境界部分の内面に繋がる仕切板部２０ｄとを有する。
【００２６】
筒状基部２０ａの後部がハンドル取付部１５の円形取付穴１５ａに挿入され、円形取付穴１５ａの後壁部１５ｂに複数のビスで固定されている。仕切板部２０ｄの後面に可変抵抗ユニット２１が取付けられ、この可変抵抗ユニット２１に連結された短尺の前後方向の軸部材２２が、仕切板部２０ｄの中心部よりも前方へ突出するように設けられている。
【００２７】
テーパ筒部２０ｂと仕切板部２０ｄには、テーパ筒部２０ｂと大径筒部２０ｃの内側において、発射停止ＳＷ２３、発射停止操作レバー２４、通電板２５、タッチセンサユニット２６が装着され、３つのビス固定用のボス２０ｅが前方へ突出状に一体形成されている。発射停止ＳＷ２３は板バネからなるＳＷ板２３ａを有する。発射停止操作レバー２４は、テーパ筒部２０ｂに回動自在に支持され、先端操作部２４ａとＳＷ当接部２４ｂとを有し、先端操作部２４ａが、大径筒部２０ｃに形成された切欠穴２０ｆから大径筒部２０ｃの半径方向外側へ突出し、ＳＷ当接部２４ｂがＳＷ板２３ａに当接している。
【００２８】
通電板２５はタッチセンサユニット２６に電気的に接続され、通電板２５には前方へ突出するバネ受部２５ａが形成されている。発射停止ＳＷ２３、タッチセンサユニット２６には、複数の電気コード（図示略）が接続され、これら電気コードが、仕切板部２０ｄに形成された開口２０ｇを通って、筒状基部２０ａの内部に導入され、可変抵抗ユニット２１に接続された複数の電気コード（図示略）と共に、後方へ延びて円形取付穴１５ａの後壁部１５ｂに形成され開口１５ｃを通って、発射駆動機構３に付設された発射基板（図示略）に接続されている。大径筒部２０ｃは、筒部後部２０ｈと、筒部後部２０ｈの前方へ張出して外周が筒部後部２０ｈの外周よりも小径のリング状支持部２０ｉとを有する。
【００２９】
操作ハンドル３０は、ハンドルベース２０の大径筒部２０ｃ（外周部）の前端側に配設された環状操作部３０ａと、環状操作部３０ａの内周面に繋がる円板部３０ｂとを有し、ハンドルベース２０に前後方向の軸回りに回動自在に支持されている。円板部３０ｂの中心部には、前方へ突出するバネ取付軸部３０ｃと後方へ突出する支軸部３０ｄとが一体形成され、支軸部３０ｄに軸部材２２が相対回転不能に内嵌状に連結されている。
【００３０】
円板部３０ｂには、支軸部３０ｄを中心に円弧スリット３０ｅ，３０ｆが形成され、円弧スリット３０ｅに２つのボス２０ｅと通電板２５のバネ受部２５ａが挿通され、円弧スリット３０ｆに１つのボス２０ｅが挿通されている。円板部３０ｂの前面にバネ受部３０ｇが一体形成されている。捩じりバネ３１が、そのコイル部がバネ取付軸部３０ｃに装着され、一端部がバネ受部３０ｇに係止され、他端部が通電板２５のバネ受部２５ａに係止された状態で設けられ、この捩じりバネ３１により、操作ハンドル３０がハンドルベース２０に対して反時計回り方向へ付勢されている。
【００３１】
環状操作部３０ａは、環状前端部３０ｈと周壁部３０ｉとを有し、周壁部３０ｉの前端部に環状前端部３０ｈが形成され、周壁部３０ｉの前後方向中央部よりもやや後側の内面に円板部３０ｂの外周部が繋がり、周壁部３０ｉから３つの指当部３０ｊが半径方向外側へ張出すように一体形成されている。環状操作部３０ａの後端部には環状溝部３０ｋが後方開放状に形成され、この環状溝部３０ｋがハンドルベース２０のリング状支持部２０ｉに摺動回動自在に係合し、環状操作部３０ａの後端部が、ハンドルベース２０の後部筒部２０ｈの前端部に摺動自在に当接している。
【００３２】
ハンドルカバー４０は、操作ハンドル３０の前端側に配設されて、操作ハンドル３０を回動可能に保持した状態でハンドルベース２０に固定され、操作ハンドル３０の前方移動を規制する。ハンドルカバー４０は、前方凸の略部分球面状に形成されたキャップ部４０ａと、キャップ部４０ａの後端部に後方向きに形成された環状後面部４０ｂと、環状後面部４０ｂの内周側から後方へ延びるリング部４０ｃとを有する。
【００３３】
環状後面部４０ｂには操作ハンドル３０の環状前端部３０ｈが実質的な隙間なく後側から対向し、リング部４０ｃが操作ハンドル３０の周壁部３０ｉの前部に内嵌状に収容されている。尚、キャップ部４０ａに３つのビス固定用のボス４０ｅが後方突出状に一体的に設けられ、これらボス４０ｅとハンドルベース２０の３つのボス２０ｅが突き合わされてビスで固定されている。
【００３４】
ここで、リング部４０ｃが操作ハンドル３０の周壁部３０ｉに近接状に内嵌されるとともに、リング部４０ｃが操作ハンドル３０の環状操作部３０ａの前後幅の半分以上の前後長を有する。また、環状後面部４０ｂが操作ハンドル３０の環状前端部３０ｈよりも大径に形成され、環状後面部４０ｂに後方開放状に形成され且つ操作ハンドル３０の環状前端部３０ｈが係合可能な環状凹部４０ｄが設けられている。
【００３５】
以上説明した発射操作ハンドル４を備えたパチンコ機１によれば次の効果を奏する。
発射操作ハンドル４が、ハンドルベース２０、操作ハンドル３０、ハンドルカバー４０を備え、ハンドルカバー４０が、キャップ部４０ａ、環状後面部４０ｂ、リング部４０ｃを有し、操作ハンドル３０の環状操作部３０ａが、環状前端部３０ｈ、周壁部３０ｉを有し、操作ハンドル３０の環状前端部３０ｈを、ハンドルカバー４０の前方凸のキャップ部４０ａの後端部に後方向きに形成された環状後面部４０ｂに実質的な隙間なく後側から対向させ、操作ハンドル３０の周壁部３０ｉに、ハンドルカバー４０の環状後面部４０ｂの内周側から後方へ延びるリング部４０ｃを内嵌状に収容させた。
【００３６】
従って、操作ハンドル３０の環状前端部３０ｈとハンドルカバー４０の環状後面部４０ｂとの間に、コイン等の異物を挿入できる隙間が形成されにくくなり、異物が挿入保持されにくくなるので、操作ハンドル３０が異物で固定されることを確実に防止して、発射操作ハンドル４０が損傷するのを未然に極力防止するとともに、遊技の健全化を図ることが可能になる。
【００３７】
ハンドルカバー４０のリング部４０ｃが操作ハンドル３０の周壁部３０ｉに近接状に内嵌されるとともに、このリング部４０ｃが操作ハンドル３０の環状操作部３０ａの前後幅の半分以上の前後長を有するので、ハンドルカバー４０を操作ハンドル３０に対して安定的に装着できるとともに、操作ハンドル３０の環状前端部３０ｈとハンドルカバー４０の環状後面部４０ｂとの間に、仮に異物が挿入されても、その異物がハンドルカバー４０のリング部４０ｃに当接して半径方向内側へ深く挿入されないので、異物が挿入保持されることを確実に防止できる。
【００３８】
ハンドルカバー４０の環状後面部４０ｂを操作ハンドル３０の環状前端部３０ｈよりも大径に形成したので、操作ハンドル３０の環状前端部３０ｈを、ハンドルカバー４０の環状後面部４０ｂに確実に実質的な隙間なく後側から対向させることができ、ハンドルカバー４０の環状後面部４０ｂの外周側部分で、操作ハンドル３０の環状前端部３０ｈの外周側を覆うように構成することができる。
【００３９】
ハンドルカバー４０の環状後面部４０ｂに後方開放状に形成され且つ操作ハンドル３０の環状前端部３０ｈが係合可能な環状凹部４０ｄを設けたので、この環状凹部４０ｄの外周側部分で操作ハンドル３０の環状前端部３０ｈの外周側を覆い、操作ハンドル３０の環状前端部３０ｈとハンドルカバー４０の環状後面部４０ｂとの間に、異物が挿入保持されることをより確実に防止できる。
【００４０】
ハンドルベース２０の前端部にリング状支持部２０ｉを形成し、操作ハンドル３０の環状操作部３０ａの後端部に後方開放状に環状溝部３０ｋを形成し、その環状溝部３０ｋをリング状支持部２０ｉに摺動回動自在に係合させたので、操作ハンドル３０の環状溝部３０ａとハンドルベース２０のリング状筒部２０ｉとの間に異物が挿入保持されることを確実に防止でき、操作ハンドル３０が異物で固定されることを一層確実に防止できる。
【００４１】
その他、ハンドルカバー４０の環状凹部４０ｄを省略する等、本発明の趣旨を逸脱しない範囲において、前記開示事項以外の種々の変更を付加して実施可能である。そして、本発明の発射操作ハンドルを備えた弾球遊技機については、種々のパチンコ機、また、パチンコ機以外の種々の弾球遊技機に適用可能である。
【図面の簡単な説明】
【００４２】
【図１】パチンコ機の発射操作ハンドルを含む下部の正面図である。
【図２】図１の平面図である。
【図３】図１のIII −III 線断面図である。
【図４】発射操作ハンドルの正面図である。
【図５】発射操作ハンドルの背面図である。
【図６】ハンドルベースの正面図である。
【図７】操作ハンドルの正面図である。
【図８】発射操作ハンドルの側面図である。
【図９】図４のIX−IX線断面図である。
【符号の説明】
【００４３】
１  パチンコ機
２  遊技領域
３  発射駆動機構
４  発射操作ハンドル
１３  皿形成体
２０  ハンドルベース
２０ｉ  リング状支持部
３０  操作ハンドル
３０ａ  環状操作部
３０ｈ  環状前端部
３０ｉ  周壁部
３０ｋ  環状溝部
４０  ハンドルカバー
４０ａ  キャップ部
４０ｂ  環状後面部
４０ｃ  リング部
４０ｄ  環状凹部
【図１】
2008272005.tif 000003
【図２】
2008272005.tif 000004
【図３】
2008272005.tif 000005
【図４】
2008272005.tif 000006
【図５】
2008272005.tif 000007
【図６】
2008272005.tif 000008
【図７】
2008272005.tif 000009
【図８】
2008272005.tif 000010
【図９】
2008272005.tif 000011